(57)【特許請求の範囲】
【請求項１】
医療用として使用され、流体を計量する計量容器であって、
略円筒状の側壁部と、
前記側壁部の下端を閉塞する底部と、
前記側壁部の上端である開口縁に形成された注ぎ口と、
を備え、
前記側壁部が、
外周面および内周面が滑面とされ、容積目盛が設けられる透明な目盛部と、
前記外周面のうち前記目盛部を除く全領域が微小な凹凸を有する粗面とされ、把持される際に前記粗面にて使用者の手に接する把持部と、
を備えることを特徴とする計量容器。
【請求項２】
請求項１に記載の計量容器であって、
前記目盛部が前記周方向において前記注ぎ口近傍に設けられることを特徴とする計量容器。
【請求項３】
請求項２に記載の計量容器であって、
前記目盛部が、前記注ぎ口から前記周方向の両側のそれぞれに５５°までの範囲内に設けられることを特徴とする計量容器。
【請求項４】
請求項１ないし３のいずれかに記載の計量容器であって、
前記側壁部および前記底部が熱可塑性樹脂により形成されていることを特徴とする計量容器。
【請求項５】
請求項４に記載の計量容器であって、
樹脂の射出成形による前記側壁部および前記底部の形成時に、前記把持部の前記微小な凹凸が金型に形成された凹凸の転写により形成されることを特徴とする計量容器。
【請求項６】
請求項１ないし５のいずれかに記載の計量容器であって、
前記容積目盛の最大値が１０００ミリリットル以下であることを特徴とする計量容器。
【請求項７】
請求項１ないし６のいずれかに記載の計量容器であって、
前記把持部の前記外周面の算術平均粗さＲａが、２μｍ以上４μｍ以下とされることを特徴とする計量容器。
【請求項８】
請求項１ないし７のいずれかに記載の計量容器であって、
使い捨て医療用品セットに含まれることを特徴とする計量容器。
【発明の詳細な説明】
【技術分野】
【０００１】
本発明は、液体を計量する計量容器に関する。
【背景技術】
【０００２】
従来より、手術室や病室等の医療施設内において医療処置が行われる際には、薬品や生理食塩水等の液体の計量にビーカー等の計量容器が利用されており、感染防止等の衛生管理の質の向上の観点から、熱可塑性樹脂製の使い捨てビーカーが利用されることが多い。
【０００３】
近年、医療処置前に行われる医療用品の準備作業の簡素化、および、これらの医療用品の在庫管理の簡素化等のため、医療処置の内容に合わせて用意された複数の医療用品を梱包した使い捨て医療用品セットが使用されており、非特許文献１に示されるように、上記使い捨てビーカーがこのような使い捨て医療用品セットに含まれる場合もある。
【非特許文献１】”セットパック製品（麻酔セット）”、［online］、川本産業株式会社、３頁、［平成１９年７月１９日検索］、インターネット＜http://www.kawamoto-sangyo.co.jp/products/pdf/syujyutu_p01.pdf＞
【発明の開示】
【発明が解決しようとする課題】
【０００４】
ところで、非特許文献１に示される比較的小型のビーカーでは、側壁部に取っ手等が設けられていない場合が多く、このようなビーカーに液体を注ぎつつ計量する際、あるいは、液体の計量を行いつつビーカーから他の容器等へと所定量の液体を注ぐ際にビーカーを保持しようとすると、ビーカーの側壁部の外周面に手の指を（通常、手袋を介して）当接させつつビーカーを把持することとなる。
【０００５】
しかしながら、手術室等においてビーカーが使用される際には、使用者の手やビーカーの側壁部の外周面に血液や生理食塩水等の水分が付着した状態でビーカーを保持する機会が多いため、ビーカーが使用者の手から滑ってしまい、上手く把持できない恐れがある。
【０００６】
本発明は、上記課題に鑑みなされたものであり、計量の正確性を維持しつつ計量容器の確実な把持を可能とすることを目的としている。
【課題を解決するための手段】
【０００７】
請求項１に記載の発明は、医療用として使用され、流体を計量する計量容器であって、略円筒状の側壁部と、前記側壁部の下端を閉塞する底部と、前記側壁部の上端である開口縁に形成された注ぎ口とを備え、前記側壁部が、外周面および内周面が滑面とされ、容積目盛が設けられる透明な目盛部と、前記外周面のうち前記目盛部を除く全領域が微小な凹凸を有する粗面とされ、把持される際に前記粗面にて使用者の手に接する把持部とを備える。
【０００８】
請求項２に記載の発明は、請求項１に記載の計量容器であって、前記目盛部が前記周方向において前記注ぎ口近傍に設けられる。
【０００９】
請求項３に記載の発明は、請求項２に記載の計量容器であって、前記目盛部が、前記注ぎ口から前記周方向の両側のそれぞれに５５°までの範囲内に設けられる。
【００１２】
請求項４に記載の発明は、請求項１ないし３のいずれかに記載の計量容器であって、前記側壁部および前記底部が熱可塑性樹脂により形成されている。
【００１３】
請求項５に記載の発明は、請求項４に記載の計量容器であって、樹脂の射出成形による前記側壁部および前記底部の形成時に、前記把持部の前記微小な凹凸が金型に形成された凹凸の転写により形成される。
【００１４】
請求項６に記載の発明は、請求項１ないし５のいずれかに記載の計量容器であって、前記容積目盛の最大値が１０００ミリリットル以下である。
【００１５】
請求項７に記載の発明は、請求項１ないし６のいずれかに記載の計量容器であって、前記把持部の前記外周面の算術平均粗さＲａが、２μｍ以上４μｍ以下とされる。
【００１７】
請求項８に記載の発明は、請求項１ないし７のいずれかに記載の計量容器であって、使い捨て医療用品セットに含まれる。
【発明の効果】
【００１８】
本発明では、計量の正確性を維持しつつ計量容器の確実な把持を可能とすることができる。また、請求項４および５の発明では、計量容器の製造を簡素化することができる。
【発明を実施するための最良の形態】
【００１９】
図１は、本発明の一の実施の形態に係る計量容器１を示す斜視図である。計量容器１は、薬品や生理食塩水等の液体の計量に使用される医療用ビーカーであり、図２に示すように、医療処置の内容に合わせて用意された複数の使い捨ての医療用品のセットである使い捨て医療用品セット６に含まれている。図２に示す使い捨て医療用品セット６は、計量容器１、シリンジ６２、ドレープ６３、および、これらの構成を収容する平面視において略矩形状のトレイ６１を備え、これらの構成が図示省略の包装部材により梱包されている。なお、使い捨て医療用品セット６では、図２に示すシリンジ６２やドレープ６３に代えて、あるいは、シリンジ６２等に加えて、他の様々な医療用品を含んでいてもよい。
【００２０】
図１に示すように、計量容器１は、所定の中心軸Ｊ１を中心とする略円筒状の側壁部１１、側壁部１１の下端（すなわち、図１中の下側の端部）を閉塞する円板状の底部１２、および、側壁部１１の上端である開口縁１１３に形成された注ぎ口１３を備える。側壁部１１の内径および外径は、中心軸Ｊ１方向に関してほぼ一定とされ、側壁部１１の開口縁１１３近傍において少し大きくなっている。側壁部１１は、外周面が微小な凹凸を有する梨地状の粗面となっている粗面部１１１、および、外周面が滑面となっている滑面部１１２を備える。図１では、図の理解を容易とするために、側壁部１１の粗面部１１１に平行斜線を付して示し、また、粗面部１１１と滑面部１１２との間の境界を二点鎖線にて示す。
【００２１】
計量容器１の側壁部１１、底部１２および注ぎ口１３は、耐薬品性が高い熱可塑性樹脂により形成されており、側壁部１１の粗面部１１１の外周面に形成された微小な凹凸は、熱可塑性樹脂の射出成形による側壁部１１、底部１２および注ぎ口１３の形成時に、金型に形成された微小な凹凸の転写により形成される。側壁部１１、底部１２および注ぎ口１３を形成する熱可塑性樹脂としては、ポリプロピレン（ＰＰ）やポリエチレン（ＰＥ）、ポリスチレン（ＰＳ）、ポリカーボネート（ＰＣ）等が利用され、本実施の形態では、ポリプロピレンにより側壁部１１、底部１２および注ぎ口１３が形成される。
【００２２】
計量容器１では、側壁部１１の内周面全体および底部１２の上面（すなわち、計量容器１の内底面）全体が滑面部１１２の内周面と同様に滑面とされており、側壁部１１の滑面部１１２は、その外周面および内周面が滑面である透明部となっている。図１に示すように、側壁部１１の滑面部１１２には容積目盛が設けられているため、以下の説明では、滑面部１１２を「目盛部１１２」という。目盛部１１２は、平面視において、中心軸Ｊ１を中心とする周方向に関して注ぎ口１３近傍に設けられており、好ましくは、注ぎ口１３から周方向の両側のそれぞれ５５°までの範囲内に設けられる。本実施の形態では、目盛部１１２は、中心軸Ｊ１に沿って上方から見た際の注ぎ口１３から反時計回り５５°の範囲内に設けられており、目盛部１１２の容積目盛の最大値は５００ｍｌ（ミリリットル）である。
【００２３】
計量容器１では、取っ手等のように側方に突出して計量容器の保持を補助する突出部が側壁部１１に設けられていないため、使用者が計量容器１を保持して注ぎ口１３から内部の液体を他の容器等へと注ぐ際には、側壁部１１の注ぎ口１３から中心軸Ｊ１を中心とする周方向の両側にそれぞれ９０°離れた部位（正確には、この部位を少なくとも含む部位）の外周面に、通常、手袋を介して手の指を当接させつつ計量容器１を把持することとなる。計量容器１の側壁部１１では、注ぎ口１３から周方向の両側にそれぞれ９０°離れた部位が粗面部１１１に含まれており、計量容器１が把持される際には、粗面部１１１の外周面が必ず使用者の手に接することとなるため、以下の説明では、粗面部１１１を「把持部１１１」という。
【００２４】
本実施の形態では、側壁部１１の外周面のうち目盛部１１２の外周面を除く全領域が、微小な凹凸を有する粗面とされる。すなわち、側壁部１１の目盛部１１２を除く全部位が把持部１１１となっており、把持部１１１は、外周面に形成された微小な凹凸により光を散乱する半透明部または不透明部となっている。把持部１１１の外周面の算術平均粗さＲａは、２μｍ（マイクロメートル）以上４μｍ以下とされ、本実施の形態では、約２．８μｍとされる。
【００２５】
以上に説明したように、計量容器１では、略円筒状の側壁部１１が、外周面が微小な凹凸を有する粗面であって計量容器１が使用者により把持される際に当該粗面にて使用者の手に接する把持部１１１を備える。このように、把持部１１１の外周面を粗面として計量容器１と使用者の手との間の摩擦抵抗を大きくすることにより、計量容器１が使用者の手から滑ってしまうことが防止され、計量容器１を確実かつ容易に把持することができる。また、側壁部１１に、外周面が滑面であるとともに容積目盛が設けられる透明な目盛部１１２が設けられることにより、目盛部１１２を介して計量容器１内部の液体を容易かつ明確に視認することができるため、計量容器１に液体を注ぎつつ計量する際、あるいは、液体の計量を行いつつ計量容器１から他の容器等へと所定量の液体を注ぐ際に、計量の正確性を維持することができる。また、計量容器１内の液体の色を正確に視認することもできる。
【００２６】
計量容器１では、上述のように、側壁部１１の把持による計量容器１の保持を容易とすることができるため、計量容器１の構造は、取っ手等のように側方に突出して計量容器の保持を補助する突出部が側壁部に設けられていない比較的小型の計量容器に特に適しており、好ましくは、容積目盛の最大値が１０００ｍｌ以下（より好ましくは、７５０ｍｌ以下）の計量容器に適用される。また、計量容器１の構造は、使用者の手や側壁部の外周面に血液や生理食塩水等の水分が付着した状態で把持される機会が多い医療用として使用される計量容器に特に適している。このように、計量容器１は、医療用の比較的小型の計量容器として好ましく利用することができるため、使い捨て医療用品セットに含まれる計量容器に特に適している。
【００２７】
計量容器１では、中心軸Ｊ１を中心とする周方向において目盛部１１２が注ぎ口１３近傍に設けられるため、計量容器１を把持した状態において目盛部１１２が使用者の手により隠されてしまうことが防止される。その結果、計量容器１を把持した状態であっても液体の計量を正確に行うことができる。また、目盛部１１２が注ぎ口１３から周方向の両側のそれぞれに５５°までの範囲内に設けられる（すなわち、周方向において目盛部１１２が注ぎ口１３を中心とする１１０°の範囲内に設けられる）ことにより、目盛部１１２が計量容器１を把持する使用者の手により隠されてしまうことがさらに確実に防止され、計量容器１を把持した状態における液体の計量がさらに正確に行われる。
【００２８】
側壁部１１では、目盛部１１２を除く全部位が把持部１１１（すなわち、外周面が粗面とされる部位）となっており、使用者の手との間で比較的大きい摩擦抵抗を生じる領域が、側壁部１１の外周面の広い範囲に設けられる。このため、計量容器１の持ち方の自由度を向上することができる。
【００２９】
計量容器１では、側壁部１１および底部１２が熱可塑性樹脂により形成されることにより、側壁部１１および底部１２がガラス等の比較的比重が大きい材料により形成される場合に比べて、計量容器１が軽量化されている。これにより、計量容器１の把持がさらに容易とされる。また、熱可塑性樹脂により、高い耐薬品性を有する計量容器１を容易に製造することができる。さらには、把持部１１１の外周面の微小な凹凸を、熱可塑性樹脂の射出成形時における金型の凹凸の転写により形成することにより、計量容器１の製造をより簡素化することができる。
【００３０】
側壁部１１では、把持部１１１の外周面の算術平均粗さＲａが２μｍ以上とされることにより、把持部１１１と使用者の手との間の摩擦抵抗が十分に大きくされるため、計量容器１をより確実に把持することができる。また、把持部１１１の外周面の算術平均粗さＲａが４μｍ以下とされることにより、側壁部１１および底部１２の射出成形時における金型からの離型を容易とし、計量容器１の製造をさらに簡素化することができる。
【００３１】
次に、本発明に関連する技術に係る計量容器について説明する。図３は、関連技術に係る計量容器１ａを示す斜視図である。計量容器１ａは、上記実施の形態に係る計量容器１と同様に、薬品や生理食塩水等の液体の計量に使用される医療用ビーカーであり、使い捨て医療用品セット６（図２参照）に含まれている。図３に示すように、計量容器１ａでは、側壁部１１の外周面において粗面とされる範囲（すなわち、平行斜線を付して示す把持部１１１ａの形状）が図１に示す計量容器１とは異なる。計量容器１ａのその他の構成は、図１に示す計量容器１と同様であり、以下の説明において同符号を付す。図３では、図の理解を容易とするために、把持部１１１ａと滑面部１１２および後述の側壁部上部１１４との間のそれぞれの境界を二点鎖線にて示す。
【００３２】
図３に示すように、計量容器１ａの側壁部１１では、外周面が微小な凹凸を有する粗面とされる把持部１１１ａの上端が、側壁部１１の開口縁１１３よりも下方（すなわち、底部１２側）に位置し、把持部１１１ａの上端と側壁部１１の開口縁１１３との間の略円筒状の部位１１４が、外周面および内周面が平滑な（すなわち、外周面および内周面が滑面とされる）透明部となっている。以下の説明では、側壁部１１の上側の部位１１４を「側壁部上部１１４」といい、側壁部上部１１４よりも下側の把持部１１１ａおよび目盛部１１２をまとめて「側壁部下部１１５」という。
【００３３】
計量容器１ａの側壁部１１では、側壁部上部１１４を除く部位（すなわち、側壁部下部１１５）において、上記実施の形態と同様に、注ぎ口１３から中心軸Ｊ１を中心とする周方向の両側にそれぞれ９０°離れた部位が把持部１１１ａに含まれており、計量容器１ａが把持される際には、把持部１１１ａの外周面（すなわち、粗面）が使用者の手に接する。これにより、計量容器１ａが使用者の手から滑ってしまうことが防止され、計量容器１ａを確実かつ容易に把持することができる。また、側壁部下部１１５に、容積目盛を有する透明な目盛部１１２が設けられることにより、上記実施の形態と同様に、目盛部１１２を介して計量容器１内部の液体を容易かつ明確に視認することができるため、計量の正確性を維持することができる。
【００３４】
計量容器１ａでは、特に、略円筒状の側壁部上部１１４が透明部とされることにより、計量容器１ａ内に液体が多量に保持されている場合に、側壁部上部１１４を介して液面を容易に視認することができる。このため、計量容器１ａの移動時等に、計量容器１ａ内の液体が揺れる様子を把握することができ、液体が側壁部１１の開口縁１１３を越えてこぼれてしまうことを防ぐことができる。
【００３５】
以上、本発明の実施の形態について説明してきたが、本発明は上記実施の形態に限定されるものではなく、様々な変更が可能である。
【００３６】
例えば、上記実施の形態および関連技術に係る計量容器の側壁部１１の内径および外径は、必ずしも中心軸Ｊ１方向に関してほぼ一定とされる必要はなく、側壁部１１は、例えば、底部１２から離れるに従って内径および外径が漸増する形状とされてもよい。
【００３８】
計量容器では、側壁部１１、底部１２および注ぎ口１３は、必ずしも熱可塑性樹脂により形成される必要はなく、例えば、ガラス等の透光性を有する材料により形成されてもよい。この場合、側壁部１１の把持部の外周面に設けられる微小な凹凸は、サンドブラスト等、材料に適した様々な方法により形成される。
【００３９】
上述の計量容器は、必ずしも使い捨て医療用品セットに含まれる必要はなく、単体にて準備されて手術室等の医療施設において医療用として使用されてよい。また、上述の計量容器の構造は、医療用ビーカー以外の様々な医療用の計量容器に適用されてよい。さらには、医療以外の他の用途に使用することを意図して製造された上記構造を有する計量容器が、使い捨て医療用品セットの構成品とされて医療用として使用されてもよい。
【図面の簡単な説明】
【００４０】
【図１】一の実施の形態に係る計量容器の斜視図である。
【図２】使い捨て医療用品セットの平面図である。
【図３】関連技術に係る計量容器の斜視図である。
【符号の説明】
【００４１】
１，１ａ    計量容器
６    使い捨て医療用品セット
１１    側壁部
１２    底部
１３    注ぎ口
１１１，１１１ａ    把持部
１１２    目盛部
１１３    開口縁
１１４    側壁部上部
Ｊ１    中心軸
【図１】
0005073408.tif 000002
【図２】
0005073408.tif 000003
【図３】
0005073408.tif 000004